(57)【要約】【課題】  従来のテレビや新聞などの広告媒体は不特定多数を対照とし、広告情報が必ずしも想定対象に届いているとは限らない。この問題を解消しようと、個人が持ち歩く携帯電話等の画面表示付き移動端末をインターネット等のネットワークを介し、広告媒体として利用するには、端末の使用者の積極的操作を必要とし、通信手段機能を阻害せずに、気軽に広告情報を受け取ることが困難であった。また、広告情報の受け手や広告情報に対する反応などのマーケティング情報を得ることが困難であった。【解決手段】  表示画面付き移動端末にインターネット等のネットワークを介し、着信と同時か、あらかじめ広告データを自動的にダウンロードする手段とその広告データを前記着信時あるいは通話終了時に再生する手段、前記広告データ再生を記録し前記端末使用者のデータと関連づけ、あらかじめ設けられたサーバあるいはデータベースに送信する手段を備えた表示画面付き移動端末着信あるいは通話終了時広告情報の供給方法による。【選択図】図１
2012034322.tif 000002
【特許請求の範囲】
【請求項１】
表示画面付き移動端末による広告情報の前記移動端末の使用者に対する供給を行う広告情報の供給方法であって、ネットワークを利用して第三者の移動端末あるいは固定電話からの前記移動端末の使用者に対する着信時、あるいは通話終了時、あらかじめ、あるいは随時、広告情報のデータを前期移動端末にダウンロードする手段（１）と、前記着信時、あるいは通話終了時に前記ダウンロードデータを自動的あるいは使用者が随意に再生するよう前記移動端末を設定するか、あるいは実施させる手段（２）また、前記ダウンロードデータの再生を前記移動端末の使用者と関連付けられた広告閲覧情報として記録し、送信する手段（３）を備えることを特徴とする表示画面付き移動端末着信あるいは通話終了時広告情報の供給方法。
【請求項２】
請求項１記載の表示画面付き移動端末着信時広告情報の供給方法において、前記第三者の移動端末あるいは固定電話からの前記移動端末の使用者に対する着信時、あるいは通話終了時、あらかじめ、あるいは随時、広告情報のデータをダウンロードする手段（１）は、前記移動端末の使用者があらかじめ登録する端末番号あるいは電子メールアドレスと前記移動端末の端末番号あるいはメールアドレスを照合し、一致するかどうかを検出し、一致する場合、ネットワークを介して接続されている広告情報を格納したサーバあるいはデータベースにアクセスし広告データを獲得することを特徴とする表示画面付き移動端末着信時あるいは通話終了時広告情報の供給方法。
【請求項３】
請求項１記載の表示画面付き移動端末着信時あるいは通話終了時広告情報の供給方法において、前記第三者の移動端末あるいは固定電話からの前記移動端末の使用者に対する着信時、あるいは通話終了後、あらかじめ、あるいは随時広告情報のデータをダウンロードする手段（１）は、一種類ないし複数種類の広告情報のデータをダウンロードすることを特徴とする表示画面付き移動端末着信あるいは通話終了時広告情報の供給方法。
【請求項４】
請求項１記載の表示画面付き移動端末着信時あるいは通話終了時広告情報の供給方法において、前記着信時に前記ダウンロードデータを自動的あるいは使用者が随意にダウンロード再生させる手段（２）は、一種類あるいは複数種類の前記ダウンロードデータを順次ないしは無作為に選択し、着信あるいは通話終了時再生の設定ないしは実施を行うことを特徴とする表示画面付き移動端末着信時広告情報の供給方法。
【請求項５】
請求項１記載の画面表示付き移動端末着信あるいは通話終了時広告情報の供給方法において、前記ダウンロードデータの再生を前記移動端末の使用者と関連付けられた広告閲覧情報として記録し送信する手段（３）は、ネットワークを介してサーバあるいはデータベースにアクセスし前記広告閲覧情報を送信することを特徴とする画面表示付き移動端末着信あるいは通話終了時広告情報の供給方法。
【発明の詳細な説明】
【発明の詳細な説明】
【技術分野】
【０００１】  本発明は、画面表示付き移動端末による広告情報の供給方法に係り、特に、表示画面付き移動端末にネットワークを利用し着信と同時、あるいは通話終了時、ないしは、あらかじめ広告データを自動的あるいは使用者が随意に前期移動端末にダウンロードする手段とその広告データを前記着信あるいは通話終了時に再生する手段、前記広告データ再生を記録し前記端末使用者のデータと関連づけ、あらかじめ設けられたサーバあるいはデータベースに送信する手段に関する。
【背景技術】
【０００２】  従来、広告情報は、テレビや新聞、雑誌などの紙媒体によるか、近年では、インターネットの発達で、インターネットに接続されたコンピュータを広告媒体とする広告情報の供給方法が発達していた。更に、携帯電話の発達でインターネットを介して従来、コンピュータでしかアクセスできなかった情報を閲覧することが可能となり、このことを利用して携帯電話によってあらかじめ設けられたサイトにアクセスさせ、そこから広告情報を供給させる技術が発達している。【０００３】  例えば、テレビ番組のスポンサーとの契約によって、番組の前後あるいはその合間に広告情報を放送することが広く行われ、新聞、雑誌など紙媒体でも、紙面を買ったスポンサーが記事を読む読者の目につく場所に広告情報を載せることが広く行われている。
インターネットによってアクセス数の多い人気のあるサイトに広告のバナーを貼ったり、インターネットを介しての番組配信の合間に広告情報を供給することが近年目立っている携帯電話専用のサイトをインターネット上にもうけ、コンピュータに対するものと同様の手法を用いたり、あるいはコンピュータと共通のサイトを閲覧できるように携帯電話自身のハード面での機能を発達させることが行われている。
【発明の開示】
【発明が解決しようとする課題】
【０００４】  しかしながら、テレビや紙媒体による広告情報の供給方法は、それらの媒体がもともと不特定多数を対象としていることから、広告情報が、消費者に必ずしも届いているとは限らない。また、広告情報が届いた場合でも、どういった受け手がどのように反応しているかに関するマーケティング情報を直接獲得することは出来ず、改めてマーケティング調査を行わなくてはならない。【０００５】  また、インターネットによる広告情報の供給法は、コンピュータを利用する場合、身近にコンピュータが無くてはならず、また、使用者自身が、インターネットに接続し、ある特定のネット上の情報閲覧の意志を持ち、特定のサイトにアクセスしてそこに設けられているバナーを目にするか、あいは広告情報を供給する特定の番組なり情報を閲覧しなくては、広告情報を供給することができない。【０００６】  また、携帯電話は、近年、携帯する人々の数が極めて多く、常に持ち歩かれている場合も多いために、広告媒体として使用する試みが数多く行われている。しかしながら、携帯電話は、第一義的に通信媒体として作られており、インターネットなどのネットワークを介して広告情報を供給する方法としては、インターネットなどのネットワークに携帯電話の使用者が能動的に接続しなくてはならず、加えて前記のコンピュータを利用した場合と同様の問題点を持っている。つまり、携帯電話の通信手段としての機能を阻害せず、携帯電話の使用者にとって気軽に、負担無くかつ自然な形で通信媒体である携帯電話を広告媒体に変換し、広告情報を供給し、広告情報を受け取る前記使用者に関する情報を還流させる広告情報供給方法が必要であった。
【問題を解決するための手段】
【０００７】  上記問題を解決するために、請求項１記載の表示画面付き移動端末による広告情報の前記移動端末の使用者に対する供給を行う広告情報の供給方法は、ネットワークを利用して第三者の移動端末あるいは固定電話からの前記移動端末の使用者に対する着信時、あるいは通話終了時、あらかじめ、あるいは随時広告情報データを前期移動端末にダウンロードする手段と、前記着信あるいは通話終了時に前記ダウンロード広告情報データを自動的あるいは使用者が随意に再生するよう前記移動端末を設定するか、あるいは実施させる手段、また、前記ダウンロード広告情報データの再生を前記移動端末の使用者と関連付けられた広告閲覧情報として記録し、送信する手段を備えることを特徴とする。
【０００８】  このような広告情報供給方法では、ネットワークを利用して第三者の移動端末あるいは固定電話からある移動端末の使用者に対する着信時、あるいは通話終了時、あらかじめ、あるいは随時、広告情報データをその移動端末にダウンロードし、着信時、あるいは通話終了時に前記ダウンロード広告情報データを自動的あるいは使用者が随意に再生するよう移動端末を設定するか、あるいは実施させることができる。また、前記ダウンロード広告情報データの再生を前記移動端末の使用者と関連付けられた広告閲覧情報として記録し、送信することができ、携帯電話の通信手段としての機能を阻害せず、携帯電話の使用者にとって気軽に、負担無くかつ自然な形で通信媒体である携帯電話を広告媒体に変換し、広告情報を供給し、広告情報を受け取る前記使用者に関する情報を還流させることが出来る。
【０００９】  また請求項２記載の広告供給方法は、前記移動端末の使用者があらかじめ登録する端末番号あるいは電子メールアドレスと前記移動端末の端末番号あるいはメールアドレスを照合し、一致するかどうかを検出し、一致する場合、ネットワークを介して接続されている広告情報を格納したサーバあるいはデータベースにアクセスし広告情報データを獲得することを特徴とする。
【００１０】  このような広告情報供給方法においては、移動端末の使用者があらかじめ登録する端末番号あるいは電子メールアドレスと前記移動端末の端末番号あるいはメールアドレスを照合し、一致するかどうかを検出し、一致する場合、ネットワークを介して接続されている広告情報を格納したサーバあるいはデータベースにアクセスし広告データを獲得することが出来る。
【００１１】  また請求項目３記載の画面表示付き移動端末着信あるいは通話終了時広告情報の供給方法において、前記第三者の移動端末あるいは固定電話からの前記移動端末の使用者に対する着信時、あるいは通話終了時、あらかじめ、あるいは随時広告情報のデータをダウンロードする手段（１）は、一種類ないし複数種類の広告情報のデータをダウンロードすることを特徴とする。
【００１２】  このような広告情報供給方法では、第三者の移動端末あるいは固定電話からのある移動端末の使用者に対する着信時、あるいは通話終了時、あらかじめ、あるいは随時広告情報のデータをダウンロードする際に一種類ないし複数種類の広告情報のデータをダウンロードすることが出来る。
【００１３】  また、請求項目４記載の画面表示付き移動端末着信あるいは通話終了時広告情報の供給方法は、前記着信あるいは通話終了時に前記ダウンロードデータを自動的あるいは使用者が随意に再生させる手段（２）を持つが、一種類あるいは複数種類の前記ダウンロードデータを順次ないしは無作為に選択し、着信時あるいは通話終了時再生の設定ないしは実施を行うことを特徴とする。
【００１４】  このような画面表示付き移動端末着信あるいは通話終了時広告情報の供給方法は、前記着信時あるいは通話終了時に前記ダウンロードデータを自動的に再生させる場合に、一種類あるいは複数種類の前記ダウンロードデータを順次ないしは無作為に選択し、着信時、あるいは通話終了時に再生の設定ないしは実施を行うことができる。
【００１５】  請求項目５記載の画面表示付き移動端末着信あるいは通話終了時広告情報の供給方法において、前記ダウンロードデータの再生を前記移動端末の使用者と関連付けられた広告閲覧情報として記録し送信する手段（３）は、ネットワークを介してサーバあるいはデータベースにアクセスし前記広告閲覧情報を送信することを特徴とする
【００１６】  このような画面表示付き移動端末着信あるいは通話終了時広告情報の供給方法は、ダウンロードされた広告情報の再生を移動端末の使用者と関連付けた広告閲覧情報として記録したうえ、ネットワークを介してサーバあるいはデータベースにその広告閲覧情報を格納することができる。
【発明を実施するための最良の形態】
【００１７】  次に本発明の実施形態について図に基づいて説明する。なお、本実施例では、媒体となる端末として表示画面付きの携帯電話端末およびそこにダウンロードされるアプリケーションという形態を挙げているが、これに限られない。【００１８】  図１は、本発明の画面表示付き移動端末着信あるいは通話終了時広告情報の供給方法の一実施例の構成を示す。図１に示されるように、この実施例において画面表示付き移動端末着信あるいは通話終了時広告情報の供給方法は、管理サーバ１、アプリデータを格納したアプリサーバ２、広告情報データを格納した広告情報データサーバ３が、インターネットなどのネットワークを介して携帯電話端末４と接続可能状態にされている。【００１９】  図２は、本発明においてどのように端末使用者が認識され、広告情報データが移動端末に格納されるようになり、移動端末が広告媒体に変わるかの一実施例を示す。図２にしめされるように、携帯電話端末４は、端末使用者の操作によってネットワークを介して管理サーバに接続される。端末使用者は、電話番号、メールアドレス、生年月日、住所、性別、年齢、趣味などを入力、管理サーバ１に送信して登録を完了すると、管理サーバから、アプリデータサーバ２にアプリファイルを送信するよう指示が出され、広告情報データサーバ３に広告情報データを送信するように指示が出される。管理サーバ１を通してかあるいは直接、携帯電話端末４にアプリデータと広告情報データが送信され、携帯電話端末４の記憶装置にそれらデータは格納され、アプリデータは、常駐アプリ５となる。【００２０】  図３は、本発明においてどのように移動端末に広告情報データが供給され、着信あるいは通話終了時に再生されるかの一実施例を示す。図３に示されるように、常駐アプリ５は、着信時、あるいは通話終了時に読み出され、広告情報データの再生、あるいは新たな広告情報のデータのダウンロードおよび再生されるように設定するよう指示する。また、定時あるいは随時広告情報データサーバ３に接続し、新たな広告情報データをダウンロードし、前の広告情報データを書き換えるように指示する。記憶装置に一度に格納される広告情報データは、一種類から複数種類にすることが可能である。複数種類の場合、着信あるいは通話終了の度に再生するデータを変えてゆくことも出来、また、再生回数をあらかじめ設定し、それを越えた着信があると、次のデータを再生するようにも出来る。【００２１】  図４は、本発明において移動端末が第三者の端末あるいは固定電話からの着信時にどのように広告情報データを再生するかの一実施例を示す。図４に示すように常駐アプリ５は、第三者の携帯電話端末あるいは固定電話６からの着信あるいは通話終了時に前記記憶装置内に格納されている広告情報データの再生、あるいは新たな広告のデータのダウンロードおよび再生をする。【００２２】  図５は、本発明において、どのように供給された広告情報データの再生を移動端末の使用者と関連付けた広告閲覧情報として記録したうえ、ネットワークを介してサーバあるいはデータベースにその広告閲覧情報を格納するかの一実施例を示す。図５に示すように着信履歴とそれぞれの広告情報データの再生回数を記録し、管理データとして、例えば広告情報データのダウンロードと同時に送信する、あるいは別個に電子メールで送信することによって管理サーバ内に格納させることが出来る。【００２３】  図６は、携帯電話端末内における着信あるいは通話終了時広告情報の供給方法を実現するコンピュータシステムの一実施例の構成図を示す。図６においてこのコンピュータシステムは、演算装置７と記憶装置８、およびそこに格納される常駐アプリ５、入力装置９、表示装置１０を含むよう構成される。【００２４】  演算装置７、記憶装置８、入力装置９、表示装置１０はもともと携帯電話端末を通信機器として成り立たせている構成部分と共通のものである。記憶装置８には常駐アプリや広告情報データが格納され、表示装置は例えば携帯電話の表示画面で構成され、広告情報データの表示に用いられる。入力装置９は例えば携帯電話端末の入力キーボードで構成され、端末使用者の登録情報の入力などに用いる。【００２５】  演算装置７は、記憶装置８において格納、読み出しされる常駐アプリに従って、広告情報データに係る処理を実行する。【００２６】  ところで本実施例では、アプリ、広告情報データのダウンロードを携帯電話会社の電話網を用いた無線接続で行う例を示しているが、それとは別に上記サーバがインターネット等のネットワークを介して接続されたダウンロード専用の装置を設け、携帯電話端末をその装置に直接接触させるか、あるいは極めて近距離からの通信システムによってアプリ、広告情報データのダウンロードを行い、かつ広告情報閲覧データを転送し、管理データ内に格納することも可能である。
【発明の効果】
【００２７】  以上のように、本発明によれば、画面表示付き移動端末は、着信時、あるいは通話終了時、あらかじめ、あるいは随時広告情報のデータをダウンロードし、着信あるいは通話終了時に広告情報データを自動的あるいは使用者が随意に再生することが出来、この広告情報データ再生を移動端末の使用者と関連付けられた広告閲覧情報として記録し、管理サーバに送信、格納することが出来る。
【００２８】  つまり、移動端末の通信手段としての機能を阻害せず、端末使用者にとって気軽に、かつ自然な形で通信媒体である移動端末を広告媒体に変換することができる。
【００２９】  また常に持ち歩かれる広告媒体を創出することでその媒体利用者に対する広告情報の伝達を確実とし、合わせて広告情報を受け取る使用者に関するマーケティングに関わる情報を獲得することを可能にする。
【図面の簡単な説明】
【００３０】
【図１】  本発明の画面表示付き移動端末着信あるいは通話終了時広告情報の供給方法の一実施例の構成図
【図２】  本発明においてどのように端末使用者が認識され、広告情報データが移動端末に格納されるようになり、移動端末が広告媒体に変わるかの一実施図
【図３】  本発明においてどのように移動端末に広告情報データが供給され、着信あるいは通話終了時に再生されるかの一実施図
【図４】  本発明において移動端末が第三者の端末からの着信あるいは通話終了時にどのように広告情報データを再生するかの一実施図
【図５】  本発明において、どのように供給された広告情報データの再生を移動端末の使用者と関連付けた広告閲覧情報として記録したうえ、ネットワークを介してサーバあるいはデータベースにその広告閲覧情報を格納するかの一実施図
【図６】  携帯電話端末内における着信あるいは通話終了時広告情報の供給方法を実現するコンピューターシステムの一実施図
【符号の説明】
【００３１】１    管理サーバ
２    アプリサーバ
３    広告情報データサーバ
４    携帯電話端末
５    常駐アプリ
６    第三者の携帯電話端末、あるいは固定電話
７    演算装置
８    記憶装置
９    入力装置
１０  表示装置
【図１】
2012034322.tif 000003
【図２】
2012034322.tif 000004
【図３】
2012034322.tif 000005
【図４】
2012034322.tif 000006
【図５】
2012034322.tif 000007
【図６】
2012034322.tif 000008